(57)【要約】【課題】便利で迅速に固定構造のコンピュータケースを組み立て、消費者自身によるコンピュータ組み立ての楽しさを向上させうる、トップ・ボトムカバーが展開収束可能なコンピュータケース構造を提供すること。【解決手段】互いに枢着される第１の板体及び第２の板体からなるトップカバーと、互いに枢着される第３の板体及び第４の板体からなるボトムカバーと、その上端が前記第１の板体に枢着されると共に、下端が前記第３の板体に枢着される第１の壁と、その上端が前記第２の板体に枢着されると共に、下端が前記第４の板体に枢着される第２の壁と、を備えるコンピュータケース構造において、各部材を展開し、前記第１の壁部の上、下端をそれぞれ前記トップカバー及びボトムカバーの第１端に、前記第２の壁部の上、下端をそれぞれ前記トップカバー及びボトムカバーの第２端に結合させ、固定的な構造を組み立てること。【選択図】図１Ａ
2007287129.tif 000002
【特許請求の範囲】
【請求項１】
梱包時のコンピュータケースをコンパクト化すると共に、コンピュータケースの迅速な組立を便利にする、トップ・ボトムカバーが展開収束可能なコンピュータケース構造であって、
互いに枢着される第１の板体及び第２の板体からなるトップカバーと、
互いに枢着される第３の板体及び第４の板体からなるボトムカバーと、
その上端が前記第１の板体に枢着されると共に、下端が前記第３の板体に枢着される第１の壁と、
その上端が前記第２の板体に枢着されると共に、下端が前記第４の板体に枢着される第２の壁と、
を備えるコンピュータケース構造において、
各部材を展開し、前記第１の壁部の上、下端をそれぞれ前記トップカバー及びボトムカバーの第１端に、前記第２の壁部の上、下端をそれぞれ前記トップカバー及びボトムカバーの第２端に結合させ、固定的な構造を組み立てる、
ことを特徴とするコンピュータケース構造。
【請求項２】
その第１端が前記第１の壁に結合されると共に、その第２端が前記第２の壁に結合される第３の壁をさらに備えることを特徴とする請求項１記載のトップ・ボトムカバーが展開収束可能なコンピュータケース構造。
【請求項３】
前記第３の壁の第１の端は前記第１の壁及び第２の壁の何れかに枢着されることを特徴とする請求項２記載のトップ・ボトムカバーが展開収束可能なコンピュータケース構造。
【請求項４】
請求項３記載のトップ・ボトムカバーが展開収束可能なコンピュータケース構造において、さらに下方に延在する枠縁が設けられたトップハウジングを備え、
前記枠縁にはそれぞれ前記第１の壁、第２の壁と対応する穴が設けられ、
これらの対応の穴にボルトを貫通させることにより、前記トップハウジングを第１の壁及び第２の壁に結合させる、
ことを特徴とするコンピュータケース構造。
【請求項５】
その第１の端が第１の壁に結合されると共に、その第２の端が第２の壁に結合される第４の壁を更に備えることを特徴とする請求項３記載のトップ・ボトムカバーが展開収束可能なコンピュータケース構造。
【請求項６】
前記第４の壁の第１の端は前記第１の壁及び第２の壁の何れかに枢着されることを特徴とする請求項５記載のトップ・ボトムカバーが展開収束可能なコンピュータケース構造。
【請求項７】
前記第１の壁は第１の板体及び第３の板体とそれぞれ対応する枠縁を有し、これらの対応する枠縁にはそれぞれ対応する枢着穴が設けられ、前記対応の枢着穴にボルトを貫通させることにより、前記第１の壁を前記第１の板体及び前記第３の板体にそれぞれ枢着させることを特徴とする請求項６記載のトップ・ボトムカバーが展開収束可能なコンピュータケース構造。
【請求項８】
前記第２の壁は第２の板体及び第４の板体とそれぞれ対応する枠縁を有し、これらの対応する枠縁にはそれぞれ対応する枢着穴が設けられ、これらの対応枢着穴にボルトを貫通させることにより、前記第２の壁を前記第２の板体及び前記第４の板体に枢着させることを特徴とする請求項７記載のトップ・ボトムカバーが展開収束可能なコンピュータケース構造。
【請求項９】
前記第３の壁の第１端は前記第１の壁及び第２の壁の何れか一方と対応する枠縁を有し、これらの対応の枠縁にそれぞれ対応する枢着穴が設けられ、前記対応の枢着穴にボルトを貫通させることにより、前記第３の壁の第１端を前記第１の壁及び第２の壁の何れか一方に枢着させることを特徴とする請求項６記載のトップ・ボトムカバーが展開収束可能なコンピュータケース構造。
【請求項１０】
前記第４の壁の第１端は前記第１の壁及び第２の壁の何れか一方と対応する枠縁を有し、これらの対応する枠縁にはそれぞれ対応する枢着穴が設けられ、前記対応する枢着穴にボルトを貫通させることにより、前記第４の壁の第１端を前記第１の壁及び第２の壁の何れか一方に枢着させることを特徴とする請求項９記載のトップ・ボトムカバーが展開収束可能なコンピュータケース構造。
【請求項１１】
前記第１の壁、前記第２の壁はそれぞれ第１の側壁、第２の側壁であり、前記第３の壁、第４の壁はそれぞれ前壁と後壁であることを特徴とする請求項１０記載のトップ・ボトムカバーが展開収束可能なコンピュータケース構造。
【請求項１２】
その上端が前記第１の壁に結合されると共に、その下端が第３の板体に結合される第１の支持枠体をさらに備えることを特徴とする請求項１〜１１の何れか１項に記載のトップ・ボトムカバーが展開収束可能なコンピュータケース構造。
【請求項１３】
前記第１の支持枠体の上、下端にはそれぞれ水平に湾曲した片体が設けられ、これらの両片体の前、後端はそれぞれ対応する連接棒の一端に枢着され、各連接棒の他端はそれぞれ前記第３の壁に結合された対応ラグに枢着され、前記第１の支持枠体の下端の片体には、前記第３の板体の穴と対応する穴が設けられ、対応する穴にボルトを貫通させることにより、第１の枠体の下端を前記第３の板体に結合させることを特徴とする請求項１２記載のトップ・ボトムカバーが展開収束可能なコンピュータケース構造。
【請求項１４】
さらに第２の支持枠体を備え、
前記第２の支持枠体の上、下端はそれぞれ前記第２の壁の第１端に結合され、前記第１の壁と前記第２の枠体の間には第１種の電子部品を、前記第１の枠体と第２の枠体との間には第２種の電子装置を装着させることを特徴とする請求項１２記載のトップ・ボトムカバーが展開収束可能なコンピュータケース構造。
【請求項１５】
前記第２の支持枠体には前記第２の壁と対応する長溝穴及び穴が設けられ、対応する長溝穴及び穴にボルトを貫通させることにより、前記第２の支持枠体の上、下端を前記第２の壁に結合させると共に、前記長溝穴を介して前記第２の支持枠体と前記第１の壁の間の距離を調整させることを特徴とする請求項１４記載のトップ・ボトムカバーが展開収束可能なコンピュータケース構造。
【請求項１６】
前記第１の壁は前記第１の板体及び前記第３の板体とはそれぞれ対応する枠縁を有し、これらの対応する枠縁にはそれぞれ対応する枢着穴が設けられ、前記対応枢着穴にボルトを貫通させることにより、前記第１の壁を前記第１の板体及び前記第３の板体にそれぞれ枢着させることを特徴とする請求項２記載のトップ・ボトムカバーが展開収束可能なコンピュータケース構造。
【請求項１７】
前記第２の壁は前記第２の板体及び前記第４の板体とはそれぞれ対応する枠縁を有し、これらの対応する枠縁にはそれぞれ対応する枢着穴が設けられ、前記対応する枢着穴にボルトを貫通させることにより、前記第２の壁を前記第２の板体及び前記第４の板体に枢着させることを特徴とする請求項１６記載のトップ・ボトムカバーが展開収束可能なコンピュータケース構造。
【請求項１８】
端をそれぞれ前記第１の壁と前記第２の壁に結合させることを特徴とする請求項１７記載のトップ・ボトムカバーが展開収束可能なコンピュータケース構造。
【請求項１９】
その上端が前記第３の壁に結合されると共に、その下端が前記第３の板体に結合される第１の支持枠体をさらに備えることを特徴とする請求項１８記載のトップ・ボトムカバーが展開収束可能なコンピュータケース構造。
【請求項２０】
請求項１９記載のトップ・ボトムカバーが展開収束可能なコンピュータケース構造において、第２の支持枠体をさらに備え、
前記第２の支持枠体の第１端が前記第１の壁に枢着され、収束時前記第２の支持枠体を第１の壁に当接させるようにし、
前記第３の壁及び前記第２の支持枠体の間に第１種の電子部品を、前記第１の枠体と第２の支持枠体の間に第２種の電子部品を装着させる、
ことを特徴とするコンピュータケース構造。
【発明の詳細な説明】
【技術分野】
【０００１】
本発明はパーソナルコンピュータのケース構造に関し、特に組立型コンピュータケース構造に関する。
【背景技術】
【０００２】
コンピュータケースは、マザーボード、ハードディスクドライブ、光ディスクドライブ、磁気ディスクドライブ及び電源供給器等の電子部品を装着するものである。通常のコンピュータケースは大抵固定構造であるが、米国特許第６，９６１，２３６号に開示されたコンピュータシャーシ（Ｃｏｍｐｕｔｅｒ  ｃｈａｓｓｉｓ）及び台湾実用新案第Ｍ２５８５４４号に開示されたＡＴＸ及びＢＴＸ規格に適用するコンピュータケースのような組立構造もある。
【０００３】
また、コンピュータケースを幾つかの部分に分解し、必要時組み立てて一体化する構造として、例えば台湾特許公告第４６８８１１号で開示された組立型工業用コンピュータケース、台湾特許公告第４７４４２３号に開示された手工具不要の取り付け・取り外し可能なコンピュータケースの構造、台湾特許公告第４９０１２０号に開示された組立型コンピュータケース、台湾特許公告第５３１１４２号に開示された組立型コンピュータのケース構造等が挙げられる。
【０００４】
前記台湾特許公告第４７４４２３号に開示された手工具不要の取り付け・取り外し可能なコンピュータケースの構造は、フロント・リヤカバーとボトムカバーとを頭付きピンにより枢着結合させた後、２つの大き目の磁気ディスク枠板をフロント・リヤカバーに頭付きピンにより枢着結合させる。続いて小さ目の磁気ディスク蓋板を枠板に結合させた後、大き目のディスク枠板の下方に係り止める。また、四つのＬ字型取付け部材をリヤカバーの四隅に嵌着することによりフロント・リヤカバーに固定結合させる。そしてマザーボードと電源供給器枠をそれぞれ前記枠組みに取付、組立てた後、２つのサイドカバーを複数の頭付きネジを介して両サイドに係り止め、コンピュータケースの組立作業を完了させる。コンピュータケースの部材を分解して梱包するため、倉庫と物置き棚の空間を余計に占めないメリットを有する。
【０００５】
上述した各種のコンピュータケースを複数の部材に分解する組立型コンピュータケースは、部材数が多く、組立にくいゆえに手間と時間がかかり、多数の分散状態の部材を１つの梱包体に収納しにくい不具合がある。
【発明の開示】
【発明が解決しようとする課題】
【０００６】
コンピュータケースの収束や組立をより便利にし、輸送コストをさらに減少させると同時に保管空間を節約させるため、本発明がなされたものである。
本発明の主な目的は、便利で迅速に固定構造のコンピュータケースを組み立て、消費者自身によるコンピュータ組み立ての楽しさを向上させうる、トップ・ボトムカバーが展開収束可能なコンピュータケース構造を提供することにある。
【０００７】
本発明のもう１つの目的は、各部材がコンパクトな梱包体に収束され易く、輸送コストの削減と保管空間の節約に寄与しうる、トップ・ボトムカバーが展開収束可能なコンピュータケース構造を提供することにある。
【課題を解決するための手段】
【０００８】
本発明によるトップ・ボトムカバーが展開収束可能なコンピュータケース構造は、梱包時のコンピュータケースをコンパクト化し、便利で迅速にコンピュータケースを組み立てうるものであり、該構造は下記部材、即ち：
互いに枢着される第１の板体及び第２の板体からなるトップカバーと、
互いに枢着される第３の板体及び第４の板体からなるボトムカバーと、
その上端が前記第１の板体に枢着されると共に、下端が前記第３の板体に枢着される第１の壁と、
その上端が前記第２の板体に枢着されると共に、下端が前記第４の板体に枢着される第２の壁と、
を備えており、各部材を展開して、前記第１の壁部の上、下端をそれぞれ前記トップカバー及びボトムカバーの第１端に、前記第２の壁部の上、下端をそれぞれ前記トップカバー及びボトムカバーの第２端に結合させて、固定的な構造に組み立てるようにし、コンピュータケースを迅速で便利に組み立てうるほか、各部材の折畳み・収束を便利にし、梱包時のコンピュータケースをコンパクト化しうる。
【０００９】
又、その第１端が前記第１の壁に結合されると共に、その第２端が前記第２の壁に結合される第３の壁をさらに備えることが好適である。
【００１０】
又、前記第３の壁の第１の端は前記第１の壁及び第２の壁の何れかに枢着されることが好適である。
【００１１】
又、請求項３記載のトップ・ボトムカバーが展開収束可能なコンピュータケース構造において、さらに下方に延在する枠縁が設けられたトップハウジングを備え、
前記枠縁にはそれぞれ前記第１の壁、第２の壁と対応する穴が設けられ、
これらの対応の穴にボルトを貫通させることにより、前記トップハウジングを第１の壁及び第２の壁に結合させることが好適である。
【００１２】
又、その第１の端が第１の壁に結合されると共に、その第２の端が第２の壁に結合される第４の壁を更に備えることが好適である。
【００１３】
又、前記第４の壁の第１の端は前記第１の壁及び第２の壁の何れかに枢着されることが好適である。
【００１４】
又、前記第１の壁は第１の板体及び第３の板体とそれぞれ対応する枠縁を有し、これらの対応する枠縁にはそれぞれ対応する枢着穴が設けられ、前記対応の枢着穴にボルトを貫通させることにより、前記第１の壁を前記第１の板体及び前記第３の板体にそれぞれ枢着させることが好適である。
【００１５】
又、前記第２の壁は第２の板体及び第４の板体とそれぞれ対応する枠縁を有し、これらの対応する枠縁にはそれぞれ対応する枢着穴が設けられ、これらの対応枢着穴にボルトを貫通させることにより、前記第２の壁を前記第２の板体及び前記第４の板体に枢着させることが好適である。
【００１６】
又、前記第３の壁の第１端は前記第１の壁及び第２の壁の何れか一方と対応する枠縁を有し、これらの対応の枠縁にそれぞれ対応する枢着穴が設けられ、前記対応の枢着穴にボルトを貫通させることにより、前記第３の壁の第１端を前記第１の壁及び第２の壁の何れか一方に枢着させることが好適である。
【００１７】
又、前記第４の壁の第１端は前記第１の壁及び第２の壁の何れか一方と対応する枠縁を有し、これらの対応する枠縁にはそれぞれ対応する枢着穴が設けられ、前記対応する枢着穴にボルトを貫通させることにより、前記第４の壁の第１端を前記第１の壁及び第２の壁の何れか一方に枢着させることが好適である。
【００１８】
又、前記第１の壁、前記第２の壁はそれぞれ第１の側壁、第２の側壁であり、前記第３の壁、第４の壁はそれぞれ前壁と後壁であることが好適である。
【００１９】
又、その上端が前記第１の壁に結合されると共に、その下端が第３の板体に結合される第１の支持枠体をさらに備えることが好適である。
【００２０】
又、前記第１の支持枠体の上、下端にはそれぞれ水平に湾曲した片体が設けられ、これらの両片体の前、後端はそれぞれ対応する連接棒の一端に枢着され、各連接棒の他端はそれぞれ前記第３の壁に結合された対応ラグに枢着され、前記第１の支持枠体の下端の片体には、前記第３の板体の穴と対応する穴が設けられ、対応する穴にボルトを貫通させることにより、第１の枠体の下端を前記第３の板体に結合させることが好適である。
【００２１】
さらに第２の支持枠体を備え、
前記第２の支持枠体の上、下端はそれぞれ前記第２の壁の第１端に結合され、前記第１の壁と前記第２の枠体の間には第１種の電子部品を、前記第１の枠体と第２の枠体との間には第２種の電子装置を装着させることが好適である。
【００２２】
又、前記第２の支持枠体には前記第２の壁と対応する長溝穴及び穴が設けられ、対応する長溝穴及び穴にボルトを貫通させることにより、前記第２の支持枠体の上、下端を前記第２の壁に結合させると共に、前記長溝穴を介して前記第２の支持枠体と前記第１の壁の間の距離を調整させることが好適である。
【００２３】
又、前記第１の壁は前記第１の板体及び前記第３の板体とはそれぞれ対応する枠縁を有し、これらの対応する枠縁にはそれぞれ対応する枢着穴が設けられ、前記対応枢着穴にボルトを貫通させることにより、前記第１の壁を前記第１の板体及び前記第３の板体にそれぞれ枢着させることが好適である。
【００２４】
又、前記第２の壁は前記第２の板体及び前記第４の板体とはそれぞれ対応する枠縁を有し、これらの対応する枠縁にはそれぞれ対応する枢着穴が設けられ、前記対応する枢着穴にボルトを貫通させることにより、前記第２の壁を前記第２の板体及び前記第４の板体に枢着させることが好適である。
【００２５】
又、端をそれぞれ前記第１の壁と前記第２の壁に結合させることが好適である。
【００２６】
又、その上端が前記第３の壁に結合されると共に、その下端が前記第３の板体に結合される第１の支持枠体をさらに備えることが好適である。
【００２７】
又、請求項１９記載のトップ・ボトムカバーが展開収束可能なコンピュータケース構造において、第２の支持枠体をさらに備え、
前記第２の支持枠体の第１端が前記第１の壁に枢着され、収束時前記第２の支持枠体を第１の壁に当接させるようにし、
前記第３の壁及び前記第２の支持枠体の間に第１種の電子部品を、前記第１の枠体と第２の支持枠体の間に第２種の電子部品を装着させることが好適である。
【発明を実施するための最良の形態】
【００２８】
本発明の他の目的、効果につき、以下、添付図面及び実施例を参照しながら詳しく説明する。
【００２９】
図１Ａを参照されたい。本発明によるトップ・ボトムカバーが展開収束可能なコンピュータケース構造の第１の実施例は、梱包時のコンピュータケースをコンパクト化し、コンピュータケースの迅速な組立に利便性を提供するものである。本実施例におけるコンピュータケース１０は、互いに枢着される第１の板体１１１、第２の板体１１２からなるトップカバー１１を備える。当該第１の板体１１１と第２の板体１１２との枢着構造は、第１の板体１１１及び第２の板体１１２の隣接端をそれぞれ交錯する接合部１１３、１１４に形成し、枢着ロッド１１５を接合部１１３、１１４の枢着穴に枢着させる構造か、又は第１の板体１１１及び第２の板体１１２の隣接端をそれぞれヒンジの両端に結合させる等の公知枢着構造、若しくは２つの枢着部を展開して安定状態にあり、力を入れると枢着部が相対的に回転可能な公知ヒンジ構造を用いる。当該第１の板体１１１及び第２の板体１１２にはそれぞれ枢着用の枠縁１１６、１１７が設けられている。
【００３０】
本実施例におけるコンピュータケース１０は更に、互いに枢着される第３の板体１２１及び第４の板体１２２からなるボトムカバー１２を備える。当該第３の板体と第４の板体との枢着構造は、第１の板体１１１と第２の板体１１２の枢着構造とは同一であり、ここで詳述しない。当該第３の板体１２１及び第４の板体１２２にはそれぞれ枢着用の枠縁１２３、１２４が設けられている。
【００３１】
本実施例におけるコンピュータケース１０は、さらに、それぞれトップカバー１１の第１の板体１１１の枠縁１１６及びボトムカバー１２の第３の板体１２１の枠縁１２３に対応する枠縁１３１が設けられた第１の壁１３を備える。該第１の壁１３の枠縁１３１はトップカバー１１の第１の板体１１１の枠縁１１６（第１の端）及びボトムカバー１２の第３の板体１２１の枠縁１２３（第１の端）の外側縁に当接され、隣接する２つの枠縁１３１、１１６及び枠縁１３１、１２３にはそれぞれ対応する枢着穴が設けられ、枢着軸１３２、１３３をそれぞれ対応する枢着穴に貫通させることにより、トップカバー１１の第１の板体１１１及びボトムカバー１２の第３の板体１２１をそれぞれ第１の壁１３の上、下端に枢着させる。
【００３２】
本実施例におけるコンピュータケース１０は、さらに、それぞれトップカバー１１の第２の板体１１２の枠縁１１７（第２の端）及びボトムカバー１２の第４の板体１２２の枠縁１２４（第２の端）に対応する枠縁１４１が設けられた第２の壁１４を備える。当該第２の壁１４の枠縁１４１はトップカバー１１の第２の板体１１２の枠縁１１７及びボトムカバー１２の第４の板体１２２の枠縁１２４の外側縁に当接され、隣接する２つの枠縁１４１、１１７及び枠縁１４１、１２４にはそれぞれ対応する枢着穴が設けられ、枢着軸１４２、１４３をそれぞれ対応する枢着穴に貫通させることにより、トップカバー１１の第２の板体１１２及びボトムカバー１２の第４の板体１２２をそれぞれ第２の壁１４の上、下端に枢着させる。
【００３３】
本実施例におけるコンピュータケース１０は、さらに、第２の壁１４の第１の端の枠縁１４１に対応する枠縁が設けられた第３の壁１５を備える。当該第３の壁１５の第１の端の枠縁は第２の壁１４の第１端の枠縁１４１の内側に設置され、第３の壁１５の枠縁と第２の壁１４の第１の端の枠縁１４１にはそれぞれ対応する枢着穴が設けられ、枢着軸１４４を対応の枢着穴に貫通させることにより、第３の壁１５の第１端を第２の壁１４の第１端に枢着させる。組立時、第３の壁１５の第２の端は第１の壁１３の第１の端に結合し、その結合構造は通常のネジ止め又は互いに係止構造等であっても良く、又は第３の壁１５の第１端を第１の壁１３の第１端に枢着させても良い。
【００３４】
本実施例におけるコンピュータケース１０は、さらに、第２の壁１４の第２端の枠縁１４１に対応する枠縁が設けられた第４の壁１６を備える。当該第４の壁１６の枠縁は第２の壁１４の第２の端の枠縁１４１の内側に位置付けられ、第４の壁１６の枠縁と第２の壁１４の第２の端の枠縁１４１にはそれぞれ対応する枢着穴が設けられ、枢着軸１４５を対応する枢着穴に貫通させることにより、第４の壁１６を第２の壁１４の第２の端に枢着させるか、又は第４の壁１６を第１の壁１３の第２の端に枢着させうる。
【００３５】
本実施例におけるコンピュータケース１０は更に、第１の支持枠体１７及び第２の支持枠体１８を備えうる。第１の支持枠体１７の上端に第１の壁１３の板体１３４の穴に対応する穴１７１が設けられ、ボルトを対応の穴に貫通させることにより、第１の支持枠体１７の上端を第１の壁１３の板体１３４に結合させる。第１の支持枠体１７の下端にはボトムカバー１２の第３の板体１２１の穴に対応する穴１７２が設けられ、ボルトを対応の穴に貫通させることにより、第１の支持枠体１７の下端をボトムカバー１２の第３の板体１２１に結合させる。第２の支持枠体１８の上、下端にそれぞれ第２の壁１４の第１の端の枠縁１４１に対応する片体１８１が設けられ、当該第２の支持枠体１８の片体１８１には第２の壁１４の枠縁１４１の穴に対応する長溝穴１８２が設けられ、対応する穴にボルトを貫通させることにより、第２の支持枠体１８の上、下端を第２の壁１４に結合させ、且つ長溝穴１８２を介して第２の支持枠体１８と第１の壁１３の板体１３４との間の距離を調整する。第１の壁１３の板体１３４と第２の支持枠体１８の間の距離が相対的に大きくて、５．２５インチの磁気ディスクドライブ等第一種の電子部品の装着に適すると共に、第１の支持枠体１７と第２の支持枠体１８の間の距離が相対的に小さくて、３．２５インチの磁気ディスクドライブ等第二種の電子部品の装着に適する。
【００３６】
本実施例における第１の壁１３、第２の壁１４はそれぞれ第１の側壁、第２の側壁であり、第３の壁１５、第４の壁１６はそれぞれ前壁と後壁である。
【００３７】
図１Ａ、図２を参照されたい。本実施例によるコンピュータ本体カバー１０を収束する時には、最初に第１の支持枠体１７及び第２の支持枠体１８を取り外し、次いで第３の壁１５、第４の壁１６を第１の壁１３の一端に近接させ、それぞれ図１の矢印Ａ、Ｂの方向へ移動させ第２の壁１４に当接させる。そして、第１の壁１３と第２の壁１４とを近接させ、第１の板体１１１及び第２の板体１１２の枢着端を下方へ、第３の板体１２１及び第４の板体１２２の枢着端を上方へ移動させて、第１の板体１１１及び第３の板体１２１を第１の壁１３に近接させると共に、第２の板体１１２及び第４の板体１２２を第２の壁１４に近接させる。最終的に図２に示されるように、第１の壁１３と第２の壁１４の枠縁１３１、１４１とを近接させ収束状態にし、コンピュータケース１０の占有空間を大幅に減少させうる。
【００３８】
図２、３Ａ、３Ｂ、３Ｃを参照されたい。本実施例によるコンピュータケースを展開する時には、最初に図３Ａに示されるように、第１の壁１３、第２の壁１４をそれぞれ外側方向に移動させ、図３Ｂに示されるように、第１の板体１１１と第２の板体１１２の枢着端、第３の板体１２１と第４の板体１２２の枢着端を逐次展開させるようにして、図３Ｃに示されるように、完全にまで展開させる。次いでそれぞれ第３の壁１５及び第４の壁１６を展開し、第１の支持枠体１７、第２の支持枠体１８を取り付けることで、コンピュータケース１０の固定構造を完了させる。当該展開作業は至便で、迅速である。
【００３９】
図１Ａ、１Ｂを参照されたい。本実施例はさらに、下方に延在する枠縁１９１が設けられたトップハウジング１９を備える。この枠縁１９１には、それぞれ第１の壁１３、第２の壁１４と対応する穴１９２が設けられ、対応する穴１９２にボルトを貫通させることにより、トップハウジング１９を第１の壁１３及び第２の壁１４にそれぞれ結合させる。
【００４０】
図４、５を参照されたい。本発明によるトップ・ボトムカバーが展開収束可能なコンピュータケース構造の第２の実施例において、コンピュータケース２０は、互いに枢着される第１の板体２１１及び第２の板体２１２からなるトップカバー２１を備え、その枢着構造は、前記第１の実施例における第１の板体１１１及び第２の板体１１２の枢着構造と略同一であり、ここで詳述しない。本実施例によるコンピュータケース構造２０は、さらに互いに枢着される第３の板体２２１及び第４の板体２２２からなるボトムカバー２２を備え、その枢着構造は第１の板体１１１及び第２の板体１１２の枢着構造と略同一であり、ここで詳述しない。本実施例によるコンピュータケース２０は、さらに、その上、下端がそれぞれトップカバー２１の第１の板体２１１及びボトムカバー２２の第３の板体２２１に枢着される第１の壁２３と、上、下端がそれぞれトップカバー２１の第２の板体２１２及びボトムカバー２２の第４の板体２２２に枢着される第２の壁２４と、を備える。前記第１の壁２３及び第２の壁２４のそれぞれトップカバー２１及びボトムカバー２２に枢着される構造は、前記第１の実施例における第１の壁１３及び第２の壁１４がそれぞれトップカバー１１及びボトムカバー１２に枢着される構造と略同一であり、ここで詳述しない。
【００４１】
本実施例によるコンピュータケース２０はさらに、図５に示されるように、それぞれ第１の壁２３及び第２の壁２４の枠縁に対応する穴２５１が設けられた第３の壁２５を備え、対応の穴にボルトを貫通させることにより、第３の壁２５の両端をそれぞれ第１の壁２３及び第２の壁２４に結合させる。
【００４２】
本実施例はさらに、第１の支持枠体２６と第２の支持枠体２７とを備える。第１の支持枠体２６の上端に第３の壁２５の穴と対応する穴２６１が設けられ、対応の穴にボルトを貫通させることにより、第１の支持枠体２６の上端を第３の壁の２５に結合させる。第１の支持枠体２６の下端には、ボトムカバー２２の第３の板体２２１の穴と対応する穴２６２が設けられ、対応の穴にボルトを貫通させることにより、第１の支持枠体２６の下端をボトムカバー２２の第３の板体２２１に結合させる。第２の支持枠体２７の上、下端にそれぞれ第１の壁２３の枠縁２３１に対応する片体２７１が設けられ、当該第２の支持枠体２７の第１端の上、下端の片体２７１は、それぞれ第１の壁２３の上、下端の枠縁２３１の内側に位置付けられ、枠縁２３１、片体２７１にはそれぞれ対応する枢着穴が設けられ、対応する枢着穴に枢着軸２３３を貫通させることにより、第２の支持枠体２７の第１端を第１の壁２３に枢着させ、第２の支持枠体２７の下端の片体２７１はボトムカバー２２の第３の板体２２１とそれぞれ対応する穴２７２が設けられ、対応の穴にボルトを貫通させることにより、第２の支持枠体２７の下端をボトムカバー２２に結合させる。第３の壁２３と第２の支持枠体２７の間の距離が相対的に大きくて、５．２５インチの磁気ディスクドライブの装着に適するのに対し、第１の支持枠体２６と第２の支持枠体２７の間の距離が相対的に小さくて、３．２５インチの磁気ディスクドライブの装着に適する。本実施例はさらに、下方に延在する枠縁２８１が設けられたトップハウジング２８を備え、枠縁２８１には、それぞれ第１の壁２３、第２の壁２４と対応する穴２８２、２９が設けられ、対応の穴２８２、２９にボルトを貫通させることにより、トップハウジング２８をそれぞれ第１の壁２３及び第２の壁２４に結合させる。
【００４３】
本実施例における第１の壁２３、第２の壁２４はそれぞれ前壁、後壁であり、第３の壁２５はマザーボードを取り付け用側壁である。
【００４４】
図４、６、７を参照されたい。本実施例におけるコンピュータケース２０を収束する際、最初にトップハウジング２８、第３の壁２５及び第１の支持枠体２６を取り外し、次いで第２の支持枠体２７の第２端を第１の壁２３に近接させる。そして、図７に示されているように第１の壁２３と第２の壁２４を近接させることにより、第１の板体２１１及び第２の板体２１２の枢着端を下方に移動させると共に、第３の板体２２１及び第４の板体２２２の枢着端を上方に移動させる。次いで、第１の板体２１１及び第３の板体２２１を第１の壁２３に近接させると共に、第２の板体２１２及び第４の板体２２２を第２の壁２４に近接させ、図８に示されているように、第１の壁２３、第２の壁２４の枠縁２３１、２４１を近接させて収束状態にし、コンピュータケース２０の占有空間を大幅に減少しうる。
【００４５】
図４、９Ａ、９Ｂ、９Ｃを参照されたい。本実施例によるコンピュータケースを展開する際、最初に図９Ａに示されているように、第１の壁２３、第２の壁２４をそれぞれ外側方向に移動させ、図９Ｂに示されているように、第１の板体２１１及び第２の板体２１２の枢着端、第３の板体２２１及び第４の板体２２２の枢着端を逐次展開させ、図９Ｃに示されるように、完全にまで展開させる。続いて、第２の支持枠体２７を広げ、そして第３の壁２５及び第１の支持枠体１６をそれぞれ取り付け、最終的にトップハウジング２８を第１の壁２３及び第２の壁２４に固定結合させることで、コンピュータケース１０を固定的な構造に組立し、その展開作業は極めて至便、迅速である。
【００４６】
図１０に示されるのは本発明の第１の支持枠体３０のもう１つの実施例である。同実施例において、第１の支持枠体３０の上、下端にはそれぞれ水平に湾曲した片体３１が設けられ、両片体３１の前、後端はそれぞれ対応する連接棒３２の一端に枢着され、各連接棒３２の他端はそれぞれ対応するラグ３３に枢着され、各ラグ３３は第３の壁４０に結合される。第１の支持枠体３０の下端の片体３１には、ボトムカバーの第３の板体の穴と対応する穴が設けられ、対応の穴にボルトを貫通させることにより、第１の支持枠体３０の下端をボトムカバーの第３の片体に結合させる。第１の支持枠体３０を収束する際、最初に第１の支持枠体３０の下端をボトムカバーの第３の片体から離脱させ、それから第１の支持枠体３０を図１０の矢印Ｃの方向に移動させて第３の壁４０に当接させれば良い。
【００４７】
本発明によるトップ・ボトムカバーが展開収束可能なコンピュータケース構造は、固定的なコンピュータケースの迅速な組立を便利にし、消費者自身によるコンピュータ組立の楽しさを向上しうると同時に、各部材が枢着されるため、コンパクトな被梱包体に折畳み、収束されやすく、輸送コストの削減及び保管空間の節約に寄与しうる。
【００４８】
上述したものは、単に本発明の技術内容を生かした実施例で、本発明の技術力を有する技術者が本発明をベースにした如何なる修正、変更は、本発明が主張する請求の範囲に属し、開示された実施例に限定されない。
【図面の簡単な説明】
【００４９】
【図１Ａ】本発明によるトップ・ボトムカバーが展開収束可能なコンピュータケース構造の第１の実施例を示す外観図である。
【図１Ｂ】本発明の実施例にトップハウジングを結合した場合を示す外観図である。
【図２】本発明の第１の実施例における第１の壁、第２の壁の近接状態を示す図である。
【図３Ａ】本発明の第１の実施例における第１の壁、第２の壁の展開する前の状態を示す図である。
【図３Ｂ】本発明の第１の実施例における第１の壁、第２の壁を外側方向へ移動させる状態を示す図である。
【図３Ｃ】本発明の第１の実施例における第１の壁、第２の壁が完全に展開した状態を示す図である。
【図４】本発明の第２の実施例におけるトップハウジング及び他の部分構造が分解状態にある場合を示す図である。
【図５】本発明の第２の実施例における第２の壁及び第１の支持枠体を示す図である。
【図６】本発明の第２の実施例を示す外観図である。
【図７】本発明の第２の実施例における第２の支持枠体の収束状態を示す図である。
【図８】本発明の第２の実施例における第１の壁、第２の壁の近接状態を示す図である。
【図９Ａ】本発明の第２の実施例における第１の壁、第２の壁の展開する前の状態を示す図である。
【図９Ｂ】本発明の第２の実施例における第１の壁、第２の壁を外側方向へ移動させる状態を示す図である。
【図９Ｃ】本発明の第２の実施例における第１の壁、第２の壁が完全に展開した状態を示す図である。
【図１０】本発明における第１の支持枠体のもう１つの実施例を示す略図である。
【符号の説明】
【００５０】
１０、２０      コンピュータケース
１１、１２      トップカバー
１１１、２１１  第１の板体
１１２、２１２  第２の板体
１１３、１１４  接合部
１１５          枢着ロッド
１１６、１１７、１２３、１２４、１３１、１４１、２３１、１９１、２８１  枠縁
１２、２２      ボトムカバー
１２１、２２１  第３の板体
１２２、２２２  第４の板体
１３、２３      第１の壁
１３２、１３３、１４２、１４３、１４４、１４５、２３３      枢着軸
１３４          板体
１４、２４      第２の壁
１５、２５、４０  第３の壁
１６、２６        第４の壁  
１７、２６、３０  第１の支持枠体
１７１、１７２、２５１、２６１、２６２、２７２、１９２、２８２、２９  穴
１８、２７        第２の支持枠体
１８１、２７１、３１  片体
１８２            長溝穴
１９、２８      トップハウジング
３２            連接棒
３３            ラグ
【図１Ａ】
2007287129.tif 000003
【図１Ｂ】
2007287129.tif 000004
【図２】
2007287129.tif 000005
【図３Ａ】
2007287129.tif 000006
【図３Ｂ】
2007287129.tif 000007
【図３Ｃ】
2007287129.tif 000008
【図４】
2007287129.tif 000009
【図５】
2007287129.tif 000010
【図６】
2007287129.tif 000011
【図７】
2007287129.tif 000012
【図８】
2007287129.tif 000013
【図９Ａ】
2007287129.tif 000014
【図９Ｂ】
2007287129.tif 000015
【図９Ｃ】
2007287129.tif 000016
【図１０】
2007287129.tif 000017